(57)【特許請求の範囲】
【請求項１】
容器のための蓋（１）であって、前記蓋（１）は、前記容器の開口端部に取り外し可能に取り付けられ、
内側の出口開口部（２２）を有する下方蓋部（３）と、
外側の出口開口部（３８）を有する上方蓋部（２）と、
を備え、
前記上方蓋部（２）と前記下方蓋部（３）との合わせられた位置において、前記上方蓋部（２）は、少なくとも２つの位置の間で前記下方蓋部（３）に対して回転可能であるので、前記出口開口部（２２、３８）は、１つの位置で相互に位置合わせし、他の位置で重なることはなく、
前記下方蓋部（３）は、前記容器の前記開口端部を重ねるための円周取り付けフランジ（４）を備え、
前記上方蓋部（２）は、前記下方蓋部（３）の前記取り付けフランジ（４）を重ねるための円周取り付けフランジ（２５）を備え、
前記上方蓋部（２）の前記取り付けフランジ（２５）の外周および前記下方蓋部（３）の前記取り付けフランジ（４）の外周は、同じ直径を有する円であり、
前記上方蓋部（２）の前記出口開口部（３８）は、前記下方蓋部（３）の前記出口開口部（２２）と同じ形状および寸法を有し、その両方は前記蓋の中心から同じ距離にあり、
前記上方蓋部（２）および前記下方蓋部（３）の前記出口開口部（２２、３８）は、それぞれの前記蓋部（２、３）の他の領域に対して突出する突起部（１５、３２）に配置され、
前記突起部（１５、３２）は、前記下方蓋部（３）と前記上方蓋部（２）との合わせられた位置において互いに係合し、
前記突起部（１５、３２）は、各々、円弧部分の形状を有し、
前記上方蓋部（２）の前記突起部（３２）は、前記下方蓋部（３）の前記突起部（１５）よりも円周方向の長さが長く、前記下方蓋部（３）に対する前記上方蓋部（２）の回転移動は、前記上方蓋部（２）の前記突起部（３２）の内側端部と係合する前記下方蓋部（３）の前記突起部（１５）により制限されることを特徴とする、蓋。
【請求項２】
前記上方蓋部（２）および前記下方蓋部（３）の前記出口開口部（２２、３８）は、それぞれの前記蓋部（２、３）の前記取り付けフランジ（４、２５）の下方端部（９、４６）によって規定される平面に対して同じ平面に配置されることを特徴とする、請求項１に記載の蓋。
【請求項３】
それぞれの前記出口開口部（２２、３８）が位置する平面から、それぞれの前記蓋部（２、３）の前記取り付けフランジ（４，２５）の下方端部によって規定される平面の距離（Ｄ）は、前記下方蓋部（３）における距離（Ｄ）と、前記上方蓋部における距離（Ｄ）のそれぞれの距離（Ｄ）と実質的に同一であることを特徴とする、請求項１または２に記載の蓋。
【請求項４】
前記上方蓋部（２）および／または前記下方蓋部（３）は、円蓋状の蓋領域（１０、２６）を備えることを特徴とする、請求項１〜３のいずれかに記載の蓋。
【請求項５】
前記上方蓋部（２）および前記下方蓋部（３）は、前記下方蓋部（３）に前記上方蓋部（２）を回転可能に取り付け、前記上方蓋部（２）および前記下方蓋部（３）をそれらの合わせられた位置に保持するための協働するスライドガイド手段（４０）を備えることを特徴とする、請求項１〜４のいずれかに記載の蓋。
【請求項６】
前記スライドガイド手段（４０）は、２つの前記蓋部（２、３）の一方に少なくとも１つの突出している凸部（４１）を備え、各凸部（４１）に対して結合し、協働する溝（４２）を２つの前記蓋部（２、３）の他方に備えることを特徴とする、請求項５に記載の蓋。
【請求項７】
前記スライドガイド手段（４０）は、２つの前記蓋部（２、３）の前記取り付けフランジ（４、２５）に、または２つの前記蓋部（２、３）の前記円蓋状の蓋領域（１０、２６）の側方部に隣接して配置されることを特徴とする、請求項５または６に記載の蓋。
【請求項８】
前記凸部（４１）は、結合される前記溝（４２）よりも短く、前記下方蓋部（３）に対する前記上方蓋部（２）の回転移動は、結合される前記溝（４２）の端部で停止される１つまたは複数の凸部（４１）によって制限されることを特徴とする、請求項１〜７のいずれかに記載の蓋。
【請求項９】
複数のラッチノブ（４４）が、前記容器の開口端部上に前記下方蓋部（３）を留めるために前記下方蓋部（３）の前記取り付けフランジ（４）の内側に設けられることを特徴とする、請求項１〜８のいずれかに記載の蓋。
【請求項１０】
隣接するラッチノブ（４４）が、前記下方蓋部（３）の外側から突出しているウェブ（４５）によって互いに離間していることを特徴とする、請求項９に記載の蓋。
【請求項１１】
前記下方蓋部（３）の上面（１２）は、凹部（１４）を備えることを特徴とする、請求項１〜１０のいずれかに記載の蓋。
【請求項１２】
液体滴下開口部（５０）が、前記下方蓋部（３）の上面（１２）に配置されることを特徴とする、請求項１〜１１のいずれかに記載の蓋。
【請求項１３】
前記液体滴下開口部（５０）の方向に誘導する液体排出チャネル（５１）が、前記下方蓋部（３）の上面（１２）に設けられることを特徴とする、請求項１２に記載の蓋。
【請求項１４】
突出するリブ（５２）が、前記上方蓋部（２）の外側面に設けられることを特徴とする、請求項１〜１３のいずれかに記載の蓋。
【請求項１５】
前記リブ（５２）は、リブ（５２）の群として設けられることを特徴とする、請求項１４に記載の蓋。
【請求項１６】
前記リブ（５２）は、凸部（４１）の間の部分に配置されることを特徴とする、請求項１４または１５に記載の蓋。
【請求項１７】
前記突起部（１５、３２）によって制限される回転角度は、凸部（４１）と溝（４２）との係合によって規定される回転角度と実質的に対応することを特徴とする、請求項１〜１６のいずれかに記載の蓋。
【請求項１８】
前記蓋（１）の合わせられた位置において、空隙（４７）が、前記上方蓋部（２）と前記下方蓋部（３）との間の領域の少なくとも一部分に存在することを特徴とする、請求項１〜１７のいずれかに記載の蓋。
【請求項１９】
前記蓋（１）の合わせられた位置において、前記上方蓋部（２）および前記下方蓋部（３）が、前記取り付けフランジ（４、２５）の領域、突起部（１５、３２）の領域、および／または協働する凸部（４１）と溝（４２）においてのみで互いに接触することを特徴とする、請求項１〜１８のいずれかに記載の蓋。
【発明の詳細な説明】
【技術分野】
【０００１】
本発明は、容器、特に紙コップなどの液体飲料を含む容器のための再密閉可能な蓋に関する。この蓋は開くことができ、使用者によって飲料の一部が消費された後、再び密閉することができる。この目的のために、蓋は、出口開口部を開閉するために、下方蓋部と、その下方蓋部に対して回転され得る上方蓋部から組み立てられる。
【背景技術】
【０００２】
このような再密閉可能な「二重蓋」、すなわち、上方蓋部および下方蓋部を含む蓋は、特許文献１から知られている。この従来の蓋において、上方蓋部は、容器の消費開口部の端部に取り付けられている。かなり小さい下方蓋部は、外側蓋部の上面の下に配置される。下方蓋部は、上方蓋部の穴を通って突出するピンを備える。このピンをつかむことによって、使用者は、上方蓋部の消費開口部を開閉するために、上方蓋部に対して下方蓋部を回転できる。同様の蓋はまた、特許文献２、特許文献３および特許文献４に開示されている。
【０００３】
このような蓋はいくつかの要求を必要とするが、その一部は互いに相反するものである。まず、蓋は、対応する容器が１メートル以上の高さから床に落ちるような悪条件下でさえも、液体耐性（ｌｉｑｕｉｄ−ｐｒｏｏｆ）が残っていることを保証しなければならない。この目的のために、蓋の材料が液体に耐性があるだけでなく、蓋を容器に固定して取り付けたままにしなければならず、さらに蓋を壊れないようにしなければならない。さらに、特にファーストフードレストランにおいて、蓋は大量使用のための物品であるので、非常にリーズナブルなコストで製造されなければならないことが義務付けられる。加えて、蓋は、レストランスタッフのために容易に開放可能でなければならない。同様に、本明細書で企図される再密閉可能な蓋はまた、最終使用者にとって容易かつ直接的に開放可能でなければならない。
【０００４】
使用中、従来の再密閉可能な蓋は、満足のいく方法で全てのこれらの相反する要求を満たすことができないことが判明している。
【先行技術文献】
【特許文献】
【０００５】
【特許文献１】米国特許第７，１５９，７３２８２号明細書
【特許文献２】国際公開第２００３／０１３９６９Ａ２号パンフレット
【特許文献３】米国特許第６，７３２，８７５８２号明細書
【特許文献４】米国特許第７，１５６，２５１８２号明細書
【発明の概要】
【発明が解決しようとする課題】
【０００６】
従って、本発明の目的は、最適に可能な程度まで上述の要求を満たすことができる容器のための蓋を提供することである。特に、容器の蓋は、安定性および液体耐性などの特性を妥協せずに、効果的なコストで生産できなければならない。
【課題を解決するための手段】
【０００７】
この目的は請求項１の特徴を有する蓋によって解決される。本発明の有利な実施形態は従属請求項によって参照される。
【０００８】
従来の二重の蓋と比べて、本発明の再密閉可能な蓋はいくつかの方法で改良されている。従来の蓋と対照的に、本発明による蓋の上方蓋部と下方蓋部の両方は、容器の開口端部で重なる。この状態は、蓋の液体耐性および漏出耐性をかなり向上させる。２つの蓋部の一方が、不注意に容器を十分に固定して保持していなくても、完全な蓋の確実な固定が、他の蓋部によりさらに保証される。また、再度、従来の手段と対照的に、液体は上方蓋部と下方蓋部との間の隙間にもはや侵入することができないので、消費開口部から液体が漏出する危険性を減少させる。蓋の安定性は、容器の開口部を完全に覆う上方蓋部と下方蓋部の両方のために向上する。同様の状態はまた、断熱性を高め、再度、従来の蓋と対照的に、２つの壁が、蓋の特定の制限された部分のみで互いに隣接する。
【０００９】
特定の簡単な実施形態において、上方蓋部および下方蓋部の取り付けフランジの外周は円形であり、同じ円の直径を有する。このように、蓋は、容器の円形開口部と一致する。しかしながら、取り付けフランジの円周は任意の他の所望の形状を有してもよい。
【００１０】
有利な実施形態において、上方蓋部および下方蓋部の出口開口部は、それぞれの蓋部の取り付けフランジの下方端部によって規定される平面に対して平行である平面で互いに配置される。一方、異なる実施形態において、出口開口部が存在する平面は、それぞれの蓋部の取り付けフランジの下方端部によって規定される平面に対して傾いてもよい。
【００１１】
それぞれの出口開口部が位置する平面から、それぞれの蓋部の取り付けフランジの下方端部によって規定される平面までの距離は、上方蓋部と下方蓋部との間で同一であってもよい。これは、下方蓋部の出口開口部周囲の領域と、上方蓋部の出口開口部周囲の領域との締まりばめを確実にするので、この領域の漏出を防止する。代替として、上記の距離は、他方の蓋部において対応する距離よりわずかに短くても、または長くてもよい。特に、それぞれの距離は下方蓋部の材料厚により異なってもよいので、下方蓋部が、出口開口部の周囲の上方蓋部と接触する平面にあり得ることを確実にする。
【００１２】
蓋の安定性は、円蓋状の蓋領域を備える上方蓋部および／または下方蓋部により向上し得る。
【００１３】
好ましくは、上方蓋部および下方蓋部は、２つの有益な機能を満たす協働するスライドガイド手段を備える。第１に、スライドガイド手段は、上方蓋部を下方蓋部に回転可能に取り付けるように適合される。第２に、スライドガイド手段は、下方蓋部からの上方蓋部の分離を防ぐ力を生じることによって上方蓋部および下方蓋部の合わせられた位置において、上方蓋部および下方蓋部を保持する機能を有する。
【００１４】
例えば、スライドガイド手段は、２つの蓋部の一方に少なくとも１つの突出する凸部を備え、各凸部に対して結合され、協働する溝を２つの蓋部の他方に備えてよい。上方蓋部の回転移動の間、凸部は溝内でスライドしてもよい。
【００１５】
スライドガイド手段を配置するための好ましい領域は、２つの蓋部の取り付けフランジおよび／または、２つの蓋部の円蓋状の蓋領域の隣接する側方部分である。
【００１６】
特定の実施形態において、凸部は結合される溝より短く、下方蓋部に対する上方蓋部の回転移動は、結合される溝の端部で停止される１つまたは複数の凸部により制限される。上方蓋部の回転移動についてのこのような端部での停止は、使用者の蓋の取り扱いを容易にする。なぜなら、その使用者は、回転可能な上方蓋部がその端部に到達すると、触覚フィードバックを受け取るからである。
【００１７】
蓋は、さらに、複数のラッチノブまたは下方蓋部を容器の開口端部に留めるための下方蓋部の取り付けフランジの内側に設けられる突起部によって改良されてもよい。特に、ラッチノブは、容器に対する下方蓋部の取り付けフランジのスナップ式の係合のために適合されてもよい。複数の個々のラッチノブの代わりに、下方蓋部の取り付けフランジはまた、その内周全体にわたってラッチ突起部を有してもよい。
【００１８】
ラッチノブが設けられる場合、隣接するラッチノブは、下方蓋部の外側から突出するウェブによって互いに離間してもよい。このウェブは、蓋を合わせる間の下方蓋部に対する上方蓋部の取り付けを容易にする。なぜなら、上方蓋部はウェブでスライドできるからである。さらに、ウェブは、下方蓋部の取り付けフランジの安定性を高める。
【００１９】
下方蓋部の上面は凹面形状を有してもよく、これは２つの利点を与える。第１に、凹面形状は、上方蓋部と下方蓋部との間の空隙の増加を生じることができるので、蓋の断熱性を高める。第２に、凹面形状は液体の収集を容易にすることができ、これは、上方蓋部と下方蓋部との間の間隔内の通路に見出される。
【００２０】
好ましくは、上方蓋部と下方蓋部との間に集められた液体が容器内に戻り、それにより、漏出の危険性をさらに減少できるように、液体滴下開口部が下方蓋部の上面に配置される。
【００２１】
この機能をさらに改良するために、液体滴下開口部の方向に誘導する液体排出チャネルが、下方蓋部の上面に設けられてもよい。特に、これらの液体排出チャネルは、液体滴下開口部の方向に出口開口部の周囲の領域から導かれてもよい。
【００２２】
所望の場合、突出しているリブが、上方蓋部の外側面に設けられてもよい。これらの突出しているリブは、特に、使用者が、下方蓋部に対する上方蓋部のより容易な保持および回転をすることができることにより、使用者にとって蓋の取り扱いを容易にすることができる。さらに、リブは、複数の蓋が非常に密接して積み重ねられ得ないことを確実にできる。このいわゆる「入れ子状態から外す（ｄｅ−ｎｅｓｔｉｎｇ）」特性は、１つの合わせられた蓋の他方からの分離を容易にするので、レストランスタッフにとっての蓋の取り扱いを容易にする。
【００２３】
使用者が把持するためのより大きな領域を存在させるために、複数のリブの各々の群でリブを設けることが有益である試験が示される。
【００２４】
凸部が上方蓋部に設けられる場合、リブは、好ましくは、その凸部の間の部分に配置され得る。
【００２５】
本発明の有利な実施形態において、上方蓋部および／または下方蓋部の出口開口部は、それぞれの蓋部の他方の領域に対して突出する突起部に配置される。特に、この突起部は、蓋の上面の残りの部分から軸方向に突出することができる。突起部は、出口開口部が閉じられている場合でさえも、使用者が、出口開口部の位置を確認にするのに役立つ。さらに、出口開口部がこのような突起部に設けられる場合、使用者は、容器からかなり容易に飲めることに気付くだろう。
【００２６】
突起部の各々は円弧部分の形状を有することが好ましい。この円弧は、下方蓋部に対する上方蓋部の回転の中心付近で湾曲すべきであり、それにより、上方蓋部の回転の間、上方蓋部の突起部が、下方蓋部の突起部にしっかりと誘導することを確保する。
【００２７】
特定の実施形態において、上方蓋部の突起部は、下方蓋部の突起部より円周方向の長さが長く、下方蓋部に対する上方蓋部の回転移動は、上方蓋部の突起部の内側端部と係合する下方蓋部の突起部により制限される。このように、上方蓋部が２つの回転停止位置の一方に到達すると、使用者は、強い触角フィードバックを受け取る。
【００２８】
好ましくは、突起部によって制限される回転角度は、凸部と溝との係合によって規定される回転角度と実質的に対応する。突起部および協働する凸部と溝が、互いに対して正確な円周位置に配置される場合、上方蓋部の回転移動は、複数の停止手段によって両方の方向で停止する。
【００２９】
蓋の断熱性をかなり高めるために、空隙が、蓋の合わせられた位置において上方蓋部と下方蓋部との間の領域の少なくとも一部に存在してもよい。特に、このような空隙は、この領域の大部分にわたって存在してもよい。特に、二重壁の容器に関して、このように構成される蓋は、容器内の液体からの熱の放出をしっかりと防ぐことができる。同時に、この構成は、上方蓋部の外側面が、容器内の熱い液体（例えばお茶、コーヒなど）と接触することを防ぐので、使用者が非常に熱いものと触れることはない。
【００３０】
蓋の合わせられた位置において、上方蓋部および下方蓋部が、取り付けフランジの領域、突起部の領域、および／または協働する凸部および溝の領域のみで互いに接触する場合、最も高い断熱性が達成され得る。
【００３１】
ここで、本発明の有利および好ましい実施形態が添付の図面に対して記載される。
【図面の簡単な説明】
【００３２】
【図１】図１は、分解した位置における本発明による蓋の蓋部の斜視図を示す。
【図２】図２は、合わせられた位置における本発明の上方蓋部と下方蓋部の第１の実施形態による部分断面図を示す。
【図３】図３は、合わせられた位置における第２の実施形態の上方蓋部と下方蓋部による部分断面図を示す。
【図４】図４は、合わせられた位置における第３の実施形態の上方蓋部と下方蓋部による部分断面図を示す。
【図５】図５は、出口開口部の位置における第１または第２の実施形態の上方蓋部および下方蓋部による部分断面図を示す。
【図６】図６は、下方蓋部の上面の拡大図を示す。
【図７】図７は、積み重ねられた関係の２つの組み立てられた蓋を示す。
【発明を実施するための形態】
【００３３】
同様の要素および構成は、全ての図面にわたって同様の参照番号が付されている。
【００３４】
図１は、本発明の蓋１の一実施形態の斜視図を示す。蓋１は、上方蓋部２および下方蓋部３を備え、それらの分解した位置で図１に示す。
【００３５】
下方蓋部３は円周取り付けフランジ４を備え、下方蓋部３と合わせられた上方蓋部２を有しても、有しなくても、下方蓋部３は、容器、特に紙コップなどの飲料容器の端部に円周取り付けフランジ４が取り付けられてもよい。このような取り付けの詳細に関して、注意すべき点が、例えば欧州特許第１７８７９１６  Ａ１号または欧州特許第１３６７００１  Ａ１号に示されているが、これらの文献は再密閉できない単一の蓋を開示しているだけである。
【００３６】
図２〜４に詳細に示すように、下方蓋部３の取り付けフランジ４は、（任意の）水平部５、紙コップのロールした端部の湾曲（示さず）に対応する湾曲部６、湾曲部の残りの部分より、下方蓋部３の中心軸から小さい半径方向距離を有するくびれ部７（このくびれ部７は容器の開口端部の下にスナップ式で係合することを意図する）、傾斜部８、および最終的に下方水平部９を備える。
【００３７】
取り付けフランジ４に加えて、下方蓋部３は、側方壁１１および上面１２を有する中心の円蓋状の蓋領域１０を備える。上面１２は概して水平の環状部１３を備える。環状部１３は、上面１２の凹部または窪み部１４を囲む。
【００３８】
突起部１５は上面１２の環状部１３から突出する。上面図において、突起部１５は、下方蓋部３の対称軸Ａが中心である円弧部分の形状を有する。突起部１５は、外側側方壁１６、反対側の内側側方壁１７（例えば図６）、第１の端壁１８、第２の端壁１９（例えば図６）、および上壁２０を備える。上壁２０は概して平面であり、第１の閉部２１および出口開口部２２を有する第２の部分を備える。
【００３９】
上方蓋部２は別の取り付けフランジ２５を有する。図６、７に示すように、取り付けフランジ２５は、蓋１を合わせた位置において下方蓋部３の取り付けフランジ４と重なるように適合される。取り付けフランジ２５に加えて、上方蓋部２は、概して、下方蓋部３の円蓋状の蓋領域１０とその外形において一致する中心の円蓋状の蓋領域２６を有する。特に、上方蓋部２の円蓋状の蓋領域２６は側方壁２７および上面２８を備える。上面２８は、概して、円形の凹部または窪み部３０を囲む水平環状部２９を備える。
【００４０】
凹部３０は、複数の凸状の反転部３１を有する。これらの凸部は押し下げることができるので、蓋１に覆われている現在の容器に保持されている飲料の種類を示すためにレストランスタッフによって凹部に変えられることができる。
【００４１】
下方蓋部３の環状部１３と同様に、上方蓋部２の環状部２９は突起部３２を有する。上面図において、突起部３２は円弧部分の形状を有する。突起部３２は、外側側方壁３３および反対側の内側側方壁３４を有し、その両方は、上方蓋部２の対称軸、すなわち下方蓋部３に対する上方蓋部２の回転軸Ａの周りで湾曲する。さらに、突起部３２は、第１の端壁３５、反対側の第２の端壁３６、および上壁３７を備える。上壁３７は、概して、平面かつ水平である。その中心部において、上壁３７は、下方蓋部３の出口開口部２２の形状および寸法と同一である、出口開口部３８が設けられる。
【００４２】
図５に関して以下により詳細に論じるように、上方蓋部２の突起部３２は、下方蓋部３の突起部１５にきつく固定するように構成されるので、外側側方壁１６および３３、内側側方壁１７および３６、ならびに上壁２０および３７は、それぞれ、一定に平面接触する。しかしながら、円周方向において、上方蓋部２の突起部３２は、下方蓋部３の突起部１５より長い長さを有する。これにより、２つの位置の間で、上方蓋部２が下方蓋部３に対して回転でき、第１の端壁１８、３５または第２の端壁１９、３６のいずれかが互いに隣接する。このように、下方蓋部３の突起部１５の端壁１８、１９は、上方蓋部２の回転移動を端部で停止する機能をする。同時に、下方蓋部３の湾曲した突起部１５は、上方蓋部２の湾曲した突起部３２を誘導するためのレールのように作用するので、下方蓋部３に対する上方蓋部２の回転移動を誘導する。この回転移動の間、下方蓋部３は容器の固定位置のままであり、上方蓋部２は容器および下方蓋部３に対して回転する。
【００４３】
上方蓋部２の第１の回転停止位置において、すなわち突起部１５、３２の第１の端壁１８、３５が互いに接触する場合、上方蓋部２の出口開口部３８は、下方蓋部３の突起部１５の上壁２０の閉部２１に対して停止する。特に、この位置において出口開口部２２、３８の間の重なりは存在しない。従って、蓋１は完全に閉じ、液体は容器から蓋１を通して漏れることはできない。
【００４４】
この第１の位置から、上方蓋部２の側方壁２７上の対応する標識「閉／開」３９によって示されるように、蓋１をその閉位置から開位置にするために、上方蓋部２は下方蓋部３に対して反時計方向に回転できる。この第２の停止位置において、すなわち、突起部１５、３２の第２の端壁１９、３６が互いに接触する場合、２つの蓋部２、３の出口または消費開口部２２、３８は、互いにそろって配置される。外側開口部２２、３８は同一の形状および寸法を有するので、蓋１にわたって生じる消費開口部は、２つの出口開口部２２、３８の各々と同じ形状およびサイズを有する。ここで、使用者は、生じる消費開口部を通して容器から飲料を消費することができる。その後、蓋１を、再度、下方蓋部３に対して上方蓋部２を時計方向に回転させることによってその閉位置にすることができる。
【００４５】
２つの蓋部２、３がそれらの合わせられた位置である場合（例えば図２〜５）、下方蓋部３に対する上方蓋部２の回転移動はさらに、両方の蓋部２、３に設けられるスライドガイド手段４０によって誘導される。第１の実施形態において、図１および２に示すように、スライドガイド手段４０は、２つの蓋部２、３の円蓋状の蓋領域１０、２６の側方面１１、２７に設けられる。この実施形態において、スライドガイド手段４０は、上方蓋部２の円蓋状の蓋領域２６の側方壁２７から内側に突出する間隔をあけた複数の窪み部または凸部４１を備える。これらの凸部４１は、下方蓋部３の円蓋状の蓋領域１０の側方面１１上の対応する窪み部または溝４２と係合し協働する。これらの溝４２は側方面１１から内側に窪み、上方蓋部２上の凸部４１の数に対応している。
【００４６】
図１に示すように、凸部４１は対応する溝４２より短い長さを有する。これにより、凸部４１が、溝４２の２つの端部のうちの１つに到達するまで、溝４２内でスライドすることが可能となり、次いで下方蓋部３に対する上方蓋部２のさらなる回転を防止する。好ましくは、スライドガイド手段４０および２つの蓋部２、３の突起部１５、３２は、両方とも、下方蓋部３に対して上方蓋部２の同じ回転角度を許容するように適合される。この目的のために、突起部１５、３２の２つの第１の端壁１８、３５が接触する場合、凸部４１および溝４２は、凸部４１が対応する溝４２の第１の端部に隣接し、突起部１５、３２の２つの第２の端壁１９、３６が互いに係合する場合、溝４２の反対端に隣接するように、位置決めされ、寸法決めされる。
【００４７】
下方蓋部３に対する上方蓋部２の回転移動を誘導することに加えて、スライドガイド手段４０は、第２の機能、すなわち、それらの合わせられた位置で２つの蓋部２、３を保持することを果たす。この目的のために、下方蓋部３が上方蓋部２に押し込まれると、凸部４１は溝４２にスナップ式に係合するように適合される。
【００４８】
第２の実施形態において、図３に示すように、凸部４１および溝４２の配置および方向が反転される。この実施形態において、凸部４１は下方蓋部３に設けられ、円蓋状の蓋領域１０の側方面１１から外側に突出する。それらは、上方蓋部２の円蓋状の蓋領域２６の側方壁２７の内側面の溝４２と協働する。
【００４９】
第３の実施形態において、図４に示すように、スライドガイド手段４０は、下方蓋部３の取り付けフランジ４の内側に突出するくびれ部７と協働する上方蓋部２の取り付けフランジ２５の内側に突出するくびれ部４３により構成される。これらの実施形態の各々において、スライドガイド手段４０は、下方蓋部３に対する上方蓋部２の回転移動を誘導し、スナップ式の係合によってそれらの合わせられた位置において２つの蓋部２、３を一緒に保持する働きをする。
【００５０】
一方で、完全な蓋１は、容器の開口端部に開放可能なように取り付けられ得る。特に、下方蓋部３の取り付けフランジ２５のくびれ部７は、取り付けフランジ４の内側の複数の等距離のラッチノブ４４と協働する。これらのラッチノブ４４は、容器の開口端部の湾曲またはロールしたリムの下でスナップ式に係合することができ、取り付けフランジ４の湾曲部分６に容器のリムを保持する。
【００５１】
図１および２に示すように、複数のウェブ４５が、ラッチノブ４４の間に設けられる。これらのウェブ４５は取り付けフランジ４の外側面に突出する。それらは、２つの蓋部２、３がそれらの合わせられた位置になる場合、取り付けフランジ４の安定性を向上し、下方蓋部３に対する上方蓋部２のスライドを容易にする。
【００５２】
図５は突起部１５、３２の領域における合わせられた蓋１の部分断面図を示す。上記のように、突起部１５、３２は、それらの外側側方壁１６、３３、それらの内側側方壁１７、３４およびそれらの上部壁２０、３７が、それぞれ、一定に平面接触するような形状で、寸法決めされている。このように、下方蓋部３の突起部１５は、上方蓋部２の回転移動を誘導するために、上方蓋部２の突起部３２を支持するレールとして作用することができる。同時に、面の間の平面係合は、突起部１５、３２、特にそれらの上壁２０、３７の間に液体が侵入するのを防止する。従って、下方蓋部３の出口開口部２２の周囲の領域は密閉され、液体の望ましくない漏出が防止され、下方蓋部３の出口開口部２２が閉じられると、完全な蓋１は液体がこぼれないようになる。
【００５３】
突起部１５、３２の上壁２０、３７の間の平面接触は、それぞれの取り付けフランジ４、２５の下方端部または下方水平部９から実質的に同じ距離Ｄで平面に配置される上壁２０、３７によってなされる。図５に示すように、上方蓋部２の下方水平部４６は下方蓋部３の下方水平部９上にあるので、図５における突起部１５、３２の上壁２０、３７の両方は、それぞれの蓋部２、３の下方端部によって規定される平面から正確に同じ距離Ｄを有する。従って、突起部１５、３２の上壁２０、３７が締まりばめである場合、上方蓋部２の上壁３７に対して一定に押し付けられる下方蓋部３の突起部１５の上壁２０により、特定の高い程度の液体耐性が達成され得る。異なる実施形態において、上壁２０、３７の両方を含む平面は、示している蓋１の液体耐性に影響を与えずに、それぞれの蓋部２、３の取り付けフランジの下方端部９、４６によって規定される平面に対して傾き得るという事実に注目しなければならない。
【００５４】
図２〜５において断面図に示すように、上方蓋部２および下方蓋部３は、それらの取り付けフランジ４、２５の下方水平部９、４６、突起部１５、３２およびスライドガイド手段４０のみで互いに接触する。残りの全ての部分において、すなわち、断面の大部分にわたって、空隙４７が２つの蓋部２、３の間に生じる。この空隙４７は蓋１の断熱性を著しく向上させる。さらに、蓋１を有する容器が、その容器から飲む目的で傾くと、空隙４７は上方蓋部２と容器内の熱い飲料との間に間隔を生じるので、使用者、特にその人の温度に敏感な唇を刺激しないように十分に低い上方蓋部２の温度を維持する。
【００５５】
さらに図２〜５に示すように、２つの蓋部２、３の両方の下方水平部９、４６は、蓋部１の対称軸Ａ、すなわち、下方蓋部３に対する上方蓋部２の回転軸Ａから同じ半径距離Ｒで終端する。図５から明らかなように、２つの蓋部２、３の２つの外側開口部２２、３８は、回転軸Ａから同一の半径距離で配置される。
【００５６】
図６は、下方蓋部３の円蓋状の蓋領域１０の上面１２の拡大図を示す。上面１２の凹部１４の最も深い点において、すなわち凹部１４の中心において、液体排出または液体滴下開口部５０が設けられる。この液体滴下開口部５０は、凹部１４に集められた液体を容器内に戻すことができる。２つの蓋部２、３の間の液体の量を減少させることによって、２つの蓋部２、３の間の液体の望ましくない漏出がより効果的に防止され得る。
【００５７】
複数の集中液体排出チャネル５１は凹部１４に設けられ、これらの液体排出チャネル５１が液体滴下開口部５０の方向に集められ、誘導される。特に、液体排出チャネル５１は、液体滴下開口部５０と下方蓋部３の突起部１５との間の部分に設けられる。上面図において、液体排出チャネル５１が、９０°の角度を有する部分、すなわち凹部１４の４分の１を占める部分に設けられる。
【００５８】
下方蓋部３の出口または消費開口部２２を楕円形で図６に示す。しかしながら、出口開口部２２はまた、円形、長方形、または任意の他の所望の形状を有してもよい。
【００５９】
図７は、他の状態の上部に積み重ねられたものの２つの合わせられた蓋１を示す。図７に示すように、上側の蓋１の下方蓋部３の円蓋状の蓋領域１０の下方端部は、下側の蓋１の上方蓋部２の円蓋状の蓋領域２６の側方壁２７から外側に突出しているリブ５２上にある。これにより、２つの蓋１が、非常にきつく互いに押し下げられないことが確保されるので、互いからの１つの蓋１の取り外しが容易になり、その蓋の変形を防止する。図７に示すように、リブ５２は２つの蓋１の重ねられた位置などの位置に設けられ、隙間５３は、上側の蓋１の取り付けフランジ４と下側の蓋１の取り付けフランジ２５との間に存在する。この隙間５３は、空気が２つの積み重ねられた蓋１の間に流れることを可能にするので、取り外す間の２つの蓋１の間の低い圧力の生成を防止する。そうでなければ、取り外すのに大きな力を必要とする。
【００６０】
図１に示すように、リブ５２は、例えばそれぞれ６つのリブの群で配置される。これらのリブ５２の群は凸部４１の間に位置する。外側に突出しているリブ５２は、積み重ねおよび合わせられた蓋１の入れ子状態から外す（ｄｅ−ｎｅｓｔｉｎｇ）ことを容易にするだけでなく、それらはまた、使用者にとっての保持手段としても役立つ。特に、リブ５２は、使用者が、下方蓋部３に対して上方蓋部２を回転させるために、より容易に蓋１に捻る力を与えることを可能にする。
【図１】
0005559794.tif 000002
【図２】
0005559794.tif 000003
【図３】
0005559794.tif 000004
【図４】
0005559794.tif 000005
【図５】
0005559794.tif 000006
【図６】
0005559794.tif 000007
【図７】
0005559794.tif 000008